(57)【要約】【課題】接続状態を強固に維持することが可能でありながら、その解除を容易に行う。【解決手段】電気コネクタは、基板に電気的に接続される第１コネクタと、該第１コネクタに係合されるロック部材と、を備える。第１コネクタは、ロック部材に係合可能な一対のコネクタ係合部を有し、ロック部材は、第１コネクタとの間に第２コネクタを挟む本体部と、一対のコネクタ係合部のそれぞれに対して係合可能な一対のロック係合部を有し、一方のコネクタ係合部は一方のロック係合部と係合して一方の係合部を形成可能であり、他方のコネクタ係合部は他方のロック係合部と係合して他方の係合部を形成可能である。一方の係合部を基点とする、第１コネクタおよびロック部材が積層された方向に延びる軸を中心として、第１コネクタに対してロック部材を回動させることで、他方の係合部における他方のコネクタ係合部と他方のロック係合部との係合を解除可能である。【選択図】図８
2020035727.tif 000002
【特許請求の範囲】
【請求項１】
基板に電気的に接続される第１コネクタと、該第１コネクタに係合されるロック部材と、を備える電気コネクタであって、
前記第１コネクタは、
前記ロック部材に係合可能な一対のコネクタ係合部を有し、
前記ロック部材は、
前記第１コネクタとの間に、前記第１コネクタに嵌合している第２コネクタを挟む本体部と、
前記本体部に連接され、前記第１コネクタ及び前記本体部の間に前記第２コネクタが挟まれた状態で、前記一対のコネクタ係合部のそれぞれに対して係合可能な、一対のロック係合部を有し、
前記一対のコネクタ係合部のうち、一方のコネクタ係合部は、前記一対のロック係合部のうち、一方のロック係合部と係合して一方の係合部を形成可能であり、
前記一対のコネクタ係合部のうち、他方のコネクタ係合部は、前記一対のロック係合部のうち、他方のロック係合部と係合して他方の係合部を形成可能であり、
前記一方の係合部を基点とする、前記第１コネクタおよび前記ロック部材が積層された方向に延びる軸を中心として、前記第１コネクタに対して前記ロック部材を回動させることで、前記他方の係合部における前記他方のコネクタ係合部と前記他方のロック係合部との係合を解除可能である、電気コネクタ。
【請求項２】
前記第１コネクタは、
複数の導電性のコンタクトを有し、
複数の前記コンタクトの配列方向の両端のそれぞれに、前記一対のコネクタ係合部を有し、
前記ロック部材は、
前記第１コネクタに係合された状態において、前記配列方向における前記本体部の両端のそれぞれに、前記一対のロック係合部を有する、請求項１記載の電気コネクタ。
【請求項３】
前記本体部は、
前記第１コネクタとの間に、前記第２コネクタに電気的に接続された接続対象物をさらに挟み、
前記一対のロック係合部の間に凸部を有し、
前記ロック部材が前記第１コネクタに係合されている状態では、前記凸部が前記接続対象物を前記第１コネクタに向けて押圧する、請求項２記載の電気コネクタ。
【請求項４】
前記凸部は、平板状の本体部の一部を折り曲げて形成され、
前記ロック部材が前記第１コネクタに係合されている状態では、前記一対のコネクタ係合部と前記一対のロック係合部との係合により前記本体部が弾性変形し、前記凸部が前記接続対象物を前記第１コネクタに向けて押圧する、請求項３記載の電気コネクタ。
【請求項５】
前記他方の係合部は、前記第１コネクタに対する前記ロック部材の回動時に、前記他方のコネクタ係合部に対する前記他方のロック係合部の移動をガイドするガイド部を有し、
前記ガイド部のガイドに応じた移動により、前記他方のコネクタ係合部と前記他方のロック係合部との係合が解除される、請求項１〜４のいずれか一項に記載の電気コネクタ。
【請求項６】
前記他方のコネクタ係合部および前記他方のロック係合部のうち、一方は爪部を有するとともに、他方は前記爪部が係止可能な受け部を有し、
前記爪部の端部がテーパ形状であることで前記ガイド部が形成される、請求項５に記載の電気コネクタ。
【請求項７】
前記他方のコネクタ係合部および前記他方のロック係合部のうち、一方は爪部を有するとともに、他方は前記爪部が係止可能な受け部を有し、
前記受け部に連続する面がテーパ形状であることで前記ガイド部が形成される、請求項５に記載の電気コネクタ。
【請求項８】
前記ロック部材は、前記ロック部材を回動させるための操作部を有する、請求項１〜７のいずれか一項に記載の電気コネクタ。
【請求項９】
前記ロック部材は金属材料から構成される、請求項１〜８のいずれか一項に記載の電気コネクタ。
【発明の詳細な説明】
【技術分野】
【０００１】
本開示は、電気コネクタに関する。
【背景技術】
【０００２】
基板に実装された電気コネクタ同士の接続においては、相手方の電気コネクタとの接続状態を強固に維持することが重要となる。例えば特許文献１に記載された電気コネクタ組立体では、一方の電気コネクタの凹部に、他方の電気コネクタの凸部が進入し、両電気コネクタがかみ合うように嵌合することにより、両電気コネクタを接続している。
【先行技術文献】
【特許文献】
【０００３】
【特許文献１】特開２０１６−１６７４６７号公報
【発明の概要】
【発明が解決しようとする課題】
【０００４】
基板に実装された電気コネクタの接続状態を高めるための機構が種々検討されている。しかしながら、接続状態を維持するための機構の解除が困難になると、電気コネクタの操作性を悪化させる可能性がある。
【０００５】
本開示は、接続状態を強固に維持することが可能でありながら、その解除を容易に行うことが可能な電気コネクタを説明する。
【課題を解決するための手段】
【０００６】
上記目的を達成するため、本開示の一形態に係る電気コネクタは、基板に電気的に接続される第１コネクタと、該第１コネクタに係合されるロック部材と、を備える電気コネクタであって、前記第１コネクタは、前記ロック部材に係合可能な一対のコネクタ係合部を有し、前記ロック部材は、前記第１コネクタとの間に、前記第１コネクタに嵌合している第２コネクタを挟む本体部と、前記本体部に連接され、前記第１コネクタ及び前記本体部の間に前記第２コネクタが挟まれた状態で、前記一対のコネクタ係合部のそれぞれに対して係合可能な、一対のロック係合部を有し、前記一対のコネクタ係合部のうち、一方のコネクタ係合部は、前記一対のロック係合部のうち、一方のロック係合部と係合して一方の係合部を形成可能であり、前記一対のコネクタ係合部のうち、他方のコネクタ係合部は、前記一対のロック係合部のうち、他方のロック係合部と係合して他方の係合部を形成可能であり、前記一方の係合部を基点とする、前記第１コネクタおよび前記ロック部材が積層された方向に延びる軸を中心として、前記第１コネクタに対して前記ロック部材を回動させることで、前記他方の係合部における前記他方のコネクタ係合部と前記他方のロック係合部との係合を解除可能である。
【０００７】
本開示に係る電気コネクタでは、ロック部材の本体部と第１コネクタとの間に、第１コネクタに嵌合している第２コネクタが挟まれた状態にて、ロック部材の本体部に連接される一対のロック係合部と、第１コネクタの一対のコネクタ係合部と、が係合可能とされている。第２コネクタを挟み込んだ状態で、ロック部材と第１コネクタとが接続されるため、第１コネクタ及び第２コネクタを単に嵌合させる場合と比較して、ロック部材により第１コネクタと第２コネクタとの接続状態を強固に維持することができる。また、上記の電気コネクタでは、一方の係合部を基点とする、第１コネクタおよびロック部材が積層された方向に延びる軸を中心として、ロック部材を回動させて他方のコネクタ係合部と他方のロック係合部の係合を解除する構成とされている。第１コネクタおよびロック部材は、第１コネクタおよびロック部材が積層された方向において両者の位置関係が維持されるように係合されているので、積層された方向に沿って両者の位置関係を変化させて係合を解除させようとすると大きな力が必要となる場合がある。これに対して、一方の係合部を基点とする、積層された方向に延びる軸を中心としてロック部材を回動させて他方のコネクタ係合部と他方のロック係合部の係合を解除可能な構成とすることで、積層された方向に沿った移動による係合の解除よりも、容易に係合を解除することが可能となる。
【０００８】
ここで、前記第１コネクタは、複数の導電性のコンタクトを有し、複数の前記コンタクトの配列方向の両端のそれぞれに、前記一対のコネクタ係合部を有し、前記ロック部材は、前記第１コネクタに係合された状態において、前記配列方向における前記本体部の両端のそれぞれに、前記一対のロック係合部を有する。
【０００９】
上記のように、両端に設けられた係合部同士で係合されることにより、第１コネクタとロック部材とがより強い力で接続されることとなり、第１コネクタと第２コネクタとの接続状態をより強固に維持することができる。また、解除時においても、一方の係合部を基点とする、第１コネクタおよびロック部材が積層された方向に延びる軸を中心として、第１コネクタに対してロック部材を回動させる。この際、一方の係合部と他方の係合部の間の距離が十分に確保されているため、ロック部材の回動に伴って他方の係合部における係合を解除する方向にかかる力を大きくすることができる。したがって、より容易に他方の係合部における係合を解除することができる。
【００１０】
また、前記本体部は、前記第１コネクタとの間に、前記第２コネクタに電気的に接続された接続対象物をさらに挟み、前記一対のロック係合部の間に凸部を有し、前記ロック部材が前記第１コネクタに係合されている状態では、前記凸部が前記接続対象物を前記第１コネクタに向けて押圧する態様とすることができる。
【００１１】
ロック部材が第１コネクタに係合されている状態で、ロック部材の本体部に設けられた凸部が接続対象物を第１コネクタに向けて押圧する構成とすることで、凸部を利用して第１コネクタと第２コネクタとの接続状態をより強固に維持することができる。
【００１２】
また、前記凸部は、平板状の本体部の一部を折り曲げて形成され、前記ロック部材が前記第１コネクタに係合されている状態では、前記一対のコネクタ係合部と前記一対のロック係合部との係合により前記本体部が弾性変形し、前記凸部が前記接続対象物を前記第１コネクタに向けて押圧する態様とすることができる。
【００１３】
ロック部材が第１コネクタに係合されている状態では、本体部の凸部が弾性変形した状態で接続対象物を第１コネクタに向けて押圧する構成とされているので、本体部の弾性力を利用して第１コネクタと第２コネクタとの接続状態をより強固に維持することができる。
【００１４】
また、前記他方の係合部は、前記第１コネクタに対する前記ロック部材の回動時に、前記他方のコネクタ係合部に対する前記他方のロック係合部の移動をガイドするガイド部を有し、前記ガイド部のガイドに応じた移動により、前記他方のコネクタ係合部と前記他方のロック係合部との係合が解除される態様とすることができる。
【００１５】
第１コネクタに対するロック部材の回動時に、ガイド部のガイドに応じて他方のコネクタ係合部に対する他方のロック係合部を移動させて、他方の係合部における他方のコネクタ係合部と他方のロック係合部との係合を解除する構成とすることで、他方の係合部の係合を解除する際に必要な力を小さくすることができる。
【００１６】
また、前記他方のコネクタ係合部および前記他方のロック係合部のうち、一方は爪部を有するとともに、他方は前記爪部が係止可能な受け部を有し、前記爪部の端部がテーパ形状であることで前記ガイド部が形成される態様とすることができる。
【００１７】
また、前記他方のコネクタ係合部および前記他方のロック係合部のうち、一方は爪部を有するとともに、他方は前記爪部が係止可能な受け部を有し、前記受け部に連続する面がテーパ形状であることで前記ガイド部が形成される態様とすることができる。
【００１８】
爪部および受け部によって係合される他方の係合部において、爪部または受け部がテーパ形状であることでガイド部が形成されることにより、爪部または受け部がテーパ形状でない場合と比較して、他方の係合部の係合を解除する際に必要な力を小さくすることができる。
【００１９】
また、前記ロック部材は、前記ロック部材を回動させるための操作部を有する態様とすることができる。
【００２０】
ロック部材を回動させるための操作部が設けられることで、操作部を利用してロック部材の回動を容易に行うことができる。
【００２１】
また、前記ロック部材は金属材料から構成される態様とすることができる。
【００２２】
ロック部材が金属材料で構成されていることで、樹脂で形成されている場合と比較してロック部材の係合や取り外しによる摩耗や破損を防ぐことができるとともに、高温環境下でも変形が抑制される。
【発明の効果】
【００２３】
本開示によれば、接続状態を強固に維持することが可能でありながら、その解除を容易に行うことが可能な電気コネクタが提供される。
【図面の簡単な説明】
【００２４】
【図１】図１は、本開示の実施形態に係る電気コネクタの斜視図である。
【図２】図２は図１の電気コネクタに含まれるリセプタクルコネクタを示す図であり、（ａ）は斜視図、（ｂ）は（ａ）と異なる方向からの斜視図、（ｃ）は正面図である。
【図３】図３は図１の電気コネクタに含まれるプラグコネクタを示す図であり、（ａ）は斜視図、（ｂ）は（ａ）と異なる方向からの斜視図、（ｃ）は正面図である。
【図４】図４はリセプタクルコネクタ及びプラグコネクタの嵌合状態を示す図であり、（ａ）は平面図、（ｂ）は正面図、（ｃ）は斜視図、（ｄ）は（ａ）のＩＶｄ−ＩＶｄ線に沿った断面図である。
【図５】図５は図１の電気コネクタに含まれるロック部材を示す図であり、（ａ）は平面図、（ｂ）は正面図、（ｃ）は斜視図、（ｄ）は（ｃ）と異なる方向からの斜視図である。
【図６】図６は、ロック部材の係合手順を説明する図であり、（ａ）は最初の状態の斜視図、（ｂ）は最初の状態の正面図、（ｃ）は次の状態の斜視図、（ｄ）は次の状態の正面図である。
【図７】図７は、電気コネクタの組み立て状態を説明する図であり、（ａ）は平面図、（ｂ）は（ａ）のＶＩＩｂ−ＶＩＩｂ線に沿った断面図である。
【図８】図８は、ロック部材の取り外し手順を説明する図であり、（ａ）は最初の状態の斜視図、（ｂ）は最初の状態の正面図、（ｃ）は次の状態の斜視図、（ｄ）は次の状態の正面図である。
【図９】図９は、本開示の変形例に係る電気コネクタに含まれるリセプタクルコネクタおよびロック部材を説明する図であり、（ａ）はリセプタクルコネクタの斜視図、（ｂ）はリセプタクルコネクタの平面の一部拡大図、（ｃ）はロック部材の正面図、（ｄ）はロック部材の斜視図である。
【図１０】図１０は、本開示の変形例に係る電気コネクタを説明する図であり、（ａ）は斜視図、（ｂ）は正面図である。
【発明を実施するための形態】
【００２５】
以下、添付図面を参照して、本開示を実施するための形態を詳細に説明する。なお、図面の説明においては同一要素には同一符号を付し、重複する説明を省略する。
【００２６】
（電気コネクタの概要）
図１を参照して、電気コネクタの概要について説明する。図１に示すように、電気コネクタ１は、リセプタクルコネクタ１０（第１コネクタ）と、該リセプタクルコネクタ１０に嵌合され、リセプタクルコネクタ１０およびプラグコネクタ７０（第２コネクタ；図３、図７等参照）の嵌合状態を保持するロック部材３０とを備える。
【００２７】
リセプタクルコネクタ１０は、配線基板５０（第１の基板）に電気的に接続されている。プラグコネクタ７０は、配線基板５０とは異なる配線基板９０（第２の基板）に電気的に接続されている。配線基板９０は、延在方向における一端にリセプタクルコネクタ１０を半田接続等により実装している。電気コネクタ１は、配線基板５０，９０同士を互いに接続する、いわゆる基板対基板接続に用いられるコネクタである。配線基板５０，９０としては、電子回路を搭載する各種の基板を用いることができる。本実施形態では、配線基板５０がプリント配線基板、配線基板９０がＦＰＣ（Ｆｌｅｘｉｂｌｅ  ｐｒｉｎｔｅｄ  ｃｉｒｃｕｉｔｓ）であるとして説明する。
【００２８】
電気コネクタ１は、配線基板５０に実装されたリセプタクルコネクタ１０に対して、配線基板９０に実装されたプラグコネクタ７０を嵌合させた後、リセプタクルコネクタ１０に対してロック部材３０を係合することにより組み立てられる。このとき、プラグコネクタ７０および配線基板９０がリセプタクルコネクタ１０とロック部材３０との間に挟まれた状態で一体化される。リセプタクルコネクタ１０に対するロック部材３０の係合は、リセプタクルコネクタ１０の一対のコネクタ係合部と、ロック部材３０の一対のロック係合部とを係合して、第１係合部２および第２係合部３を形成することにより行われるが、詳細は後述する。
【００２９】
以下の実施形態では、まず、リセプタクルコネクタ１０、プラグコネクタ７０、および、ロック部材３０について説明した後、組み立て方法について説明する。なお、以下の説明においては、リセプタクルコネクタ１０およびプラグコネクタ７０の嵌合方向（ロック部材３０、リセプタクルコネクタ１０、およびプラグコネクタ７０の積層方向）を「Ｚ方向」、Ｚ方向に交差する方向である、リセプタクルコネクタ１０およびロック部材３０の長手方向を「Ｙ方向」、Ｚ方向およびＹ方向に交差する方向である、リセプタクルコネクタ１０およびロック部材３０の幅方向を「Ｘ方向」として説明する場合がある。
【００３０】
（リセプタクルコネクタ）
リセプタクルコネクタ１０の詳細について説明する。なお、リセプタクルコネクタ１０の説明において、Ｚ方向における、リセプタクルコネクタ１０を基準とした配線基板５０側を「下」、その反対側を「上」として説明する場合がある。リセプタクルコネクタ１０は、図２（ａ）〜（ｃ）に示すように、プラグコネクタ７０を収容可能な収容凹部Ｖ（収容部）を有するコネクタである。リセプタクルコネクタ１０は、ハウジング１２と、複数の導電端子１３（複数の導電性のコンタクト）とを有する。ハウジング１２は、本体部１４と、本体部１４におけるＹ方向の両端部に連続して設けられた固定部２９，２９とを有する。最初に、ハウジング１２の本体部１４、および、複数の導電端子１３について説明し、続いて、固定部２９について説明する。
【００３１】
本体部１４は、樹脂を含んだ絶縁材料で構成されている。本体部１４は、所定方向に延びる略直方体形状を呈している。本体部１４は、底壁部１５と、側壁部１６〜１９と、中央壁部２０とを有する。
【００３２】
底壁部１５は、略矩形状を呈する板状体である。底壁部１５は、導電端子１３が設けられた領域において、導電端子１３の形状に応じた大きさの貫通孔１５ａを有する（図２（ｂ）参照）。すなわち、底壁部１５には、Ｚ方向に貫通する貫通孔１５ａが、導電端子１３の数だけ形成されている。
【００３３】
側壁部１６〜１９はそれぞれ、底壁部１５に対して直立した状態で底壁部１５上に設けられている。側壁部１６，１７はそれぞれ、底壁部１５の各長辺の近傍に位置し当該長辺に沿ってＹ方向に延びている。側壁部１８，１９はそれぞれ、底壁部１５の各短辺の近傍に位置し当該短辺に沿ってＸ方向に延びている。そのため、側壁部１６，１７同士は互いに対向しており、側壁部１８，１９同士は互いに対向している。
【００３４】
中央壁部２０は、底壁部１５に対して直立した状態で底壁部１５上に設けられている。中央壁部２０は、側壁部１６〜１９から離間した状態で、側壁部１６〜１９で囲まれる空間内に位置している。中央壁部２０は、底壁部１５の長辺に沿ってＹ方向に延びている。そのため、中央壁部２０は、側壁部１６，１７と対向している。底壁部１５と、側壁部１６〜１９と、中央壁部２０とで囲まれる空間によって、収容凹部Ｖが形成されている（図２（ａ）参照）。したがって、収容凹部Ｖは、四角環状を呈している。収容凹部Ｖは、プラグコネクタ７０を収容する空間である。
【００３５】
複数の導電端子１３（図２では１０個の導電端子１３）は、側壁部１６に取り付けられている。そのため、側壁部１６には複数の導電端子１３がその延在方向（Ｙ方向）に一列に並んでいる。側壁部１７にも同様に複数の導電端子１３（図２では１０個の導電端子１３）が取り付けられている。これらの導電端子１３の構成は互いに同じであるので、以下では、側壁部１６における導電端子１３について説明し、側壁部１７における導電端子１３の説明を省略する。なお、導電端子１３の数は適宜変更することができる。
【００３６】
導電端子１３は、板状の導電材料（例えば金属部材）によって構成されている。導電端子１３は、基端部１３ａと、中間部１３ｂと、接触部１３ｃとを有する（図２（ａ）〜（ｃ）、および図４（ｄ）参照）。基端部１３ａは、底壁部１５の近傍に位置しており、側壁部１６から外方に向けてＸ方向に延びている。基端部１３ａは、リセプタクルコネクタ１０が配線基板５０に実装される際に、配線基板５０の電極（図示せず）と半田等によって接続される。中間部１３ｂは、基端部１３ａに連続するとともに、上方に向けて側壁部１６に沿ってＺ方向に延びている。中間部１３ｂは、側壁部１６に形成された溝１６ａ（図２（ａ）参照）に対し圧入によって固定される部分である。接触部１３ｃは、中間部１３ｂに連続するとともに、収容凹部Ｖ内に位置して、プラグコネクタ７０の導電端子７２の接触部７２ｂと接触する部分である。接触部１３ｃにおける中間部１３ｂに連続する部分と対向する反対の端部は、中央壁部２０の近傍に位置している。図４（ｄ）に示されるように、接触部１３ｃは、中間部１３ｂに連続する部分、および、中央壁部２０の近傍に位置する部分の２箇所で、プラグコネクタ７０の側壁部７４に配置された導電端子７２のそれぞれの接触部７２ｂと接触している。
【００３７】
固定部２９，２９は、図２（ａ）に示すように、本体部１４におけるＹ方向の両端部、すなわち側壁部１８および側壁部１９に連続して設けられた部分である。側壁部１８および側壁部１９のＹ方向外方（Ｙ方向において本体部１４の中心から離れる方向）に設けられた固定部２９，２９の構成は互いに同じであるので、以下では、側壁部１９のＹ方向外方に設けられた固定部２９について説明し、側壁部１８のＹ方向外方に設けられた固定部２９の説明を省略する。
【００３８】
固定部２９は、図２（ａ），（ｂ）に示すように、ハウジング１２の本体部１４の端部に連続して一体成形されたベース部２１と、ベース部２１の上部を覆うとともに配線基板５０に固定される固定金具２２とを有する。ベース部２１は、ハウジング１２と一体成形されており、樹脂を含んだ絶縁材料で構成されている。ベース部２１は、側壁部１９に連続して設けられ略直方体形状を呈する延長部２３を有する。固定金具２２は、延長部２３の上面を覆う。本体部１４のＹ方向の両端部に設けられる固定部２９，２９のそれぞれにおいて、固定金具２２は、延長部２３のＹ方向の端部よりも突出した領域を有していて、それぞれが一対のコネクタ係合部の一部を構成する。
【００３９】
延長部２３は、側壁部１９のＸ方向の中央部分に連続して設けられており、底面２３ａが底壁部１５と略面一に連続し（図２（ｃ）参照）、固定金具２２が取り付けられるように上面の高さが側壁部１９よりも低く形成されている（図２（ｂ）参照）。延長部２３は、底面２３ａにおけるＸ方向の両端に、Ｙ方向に沿って斜面が形成されている。そのため、底面２３ａにおけるＸ方向の長さが、上端部２３ｂにおけるＸ方向の長さよりも短く形成されている（図２（ｂ）参照）。
【００４０】
固定金具２２は、ベース部２１の上部を覆うとともに配線基板５０に固定されることにより、リセプタクルコネクタ１０を配線基板５０に固定する。固定金具２２は、例えば、薄板状の金属部材によって構成されている。固定金具２２は、ベース部２１を覆うカバー部２２ａと、カバー部２２ａのＸ方向の両端に連続し、配線基板５０に向かって下方に延びて配線基板５０の表面に接続される接続部２２ｂとを有する。カバー部２２ａは、ベース部２１を構成する延長部２３の上面の略全域を覆っている。
【００４１】
カバー部２２ａの一部は、延長部２３のＹ方向の端部よりも突出している突出部２２ｐを有する。突出部２２ｐの下面２２ｘは、リセプタクルコネクタ１０のコネクタ係合部と、ロック部材３０のロック係合部との係合時において、第１ロック係合部３２または第２ロック係合部３３に含まれる接続部３２ｃ，３３ｃ（図５（ａ），（ｃ）参照）の上面３２ｘ，３３ｘと接触する。すなわち、突出部２２ｐは、ロック部材３０との係合における爪部として機能する。この点は後述する。
【００４２】
リセプタクルコネクタ１０は、図７（ｂ）に示すように、ロック部材３０の第１ロック係合部３２および第２ロック係合部３３に係合して、第１係合部２および第２係合部３を形成可能な一対のコネクタ係合部１１Ａ，１１Ｂを有している。コネクタ係合部１１Ａ，１１Ｂは、複数の導電端子１３の配列方向であるＹ方向の両端のそれぞれに設けられている。コネクタ係合部１１ＡはＹ方向正側に設けられ、コネクタ係合部１１ＢはＹ方向負側に設けられる。コネクタ係合部１１Ａ，１１Ｂは、それぞれ、上述した固定金具２２の突出部２２ｐを含んで構成されている。なお、一対のコネクタ係合部１１Ａ，１１Ｂは同一の形状とすることができるが、一部の構造を変更してもよい。本実施形態では、コネクタ係合部１１Ａ，１１Ｂが同一の形状であるとして説明する。そのため、コネクタ係合部１１Ａ，１１Ｂをコネクタ係合部１１として記載する場合がある。
【００４３】
（プラグコネクタ）
図３（ａ）〜（ｃ）を参照して、プラグコネクタ７０の詳細について説明する。プラグコネクタ７０は、リセプタクルコネクタ１０の収容凹部Ｖに収容されることによりリセプタクルコネクタ１０に嵌合されるコネクタである。プラグコネクタ７０は、ハウジング７１と、複数の導電端子７２とを有する。
【００４４】
ハウジング７１は、樹脂を含んだ絶縁材料で構成されている。ハウジング７１は、所定方向に延びる略直方体形状を呈している。ハウジング７１は、底壁部７３と、側壁部７４〜７７とを有する。底壁部７３は、Ｙ方向に延びる略矩形状を呈する板状体である。
【００４５】
側壁部７４〜７７はそれぞれ、底壁部７３に対して直立した状態で底壁部７３上に設けられている。側壁部７４〜７７は、プラグコネクタ７０がリセプタクルコネクタ１０と嵌合する際に、リセプタクルコネクタ１０の収容凹部Ｖ内に収容される。そのため、側壁部７４〜７７は、全体として凸状を呈する嵌合凸部Ｗを構成している。
【００４６】
側壁部７４，７５はそれぞれ、底壁部７３の各長辺の近傍に位置し、当該長辺に沿ってＹ方向に延びている。側壁部７６，７７はそれぞれ、底壁部７３の各短辺の近傍に位置し、当該短辺に沿ってＸ方向に延びている。そのため、側壁部７４，７５同士は互いに対向しており、側壁部７６，７７同士は互いに対向している。したがって、嵌合凸部Ｗは、四角筒状を呈している。四角筒状を呈する嵌合凸部Ｗの内部空間には、プラグコネクタ７０がリセプタクルコネクタ１０と嵌合する際に、リセプタクルコネクタ１０の中央壁部２０が収容される。
【００４７】
ハウジング７１は、Ｙ方向の両端部、すなわち側壁部７６，７７の近傍に、固定金具７８，７８を更に有する。側壁部７６および側壁部７７の近傍に設けられた固定金具７８，７８の構成は互いに同じであるので、以下では、側壁部７７の近傍に設けられた固定金具７８について説明し、側壁部７６の近傍に設けられた固定金具７８の説明を省略する。
【００４８】
固定金具７８は、例えば金属部材によって構成されている。固定金具７８は、側壁部７７の上部を覆うカバー部７８ａと、配線基板９０の表面に接続される接続部７８ｂとを有する。接続部７８ｂは、Ｙ方向における側壁部７７の近傍において、配線基板９０に接続される面が底壁部７３と略面一になるように、側壁部７４，７５の外面よりも外方に延びている。
【００４９】
複数の導電端子７２（本実施形態では１０個の導電端子７２）は、側壁部７４に取り付けられている。そのため、側壁部７４には複数の導電端子７２がＹ方向に一列に並んでいる。側壁部７５にも同様に複数の導電端子７２（本実施形態では１０個の導電端子７２）が取り付けられている。これらの導電端子７２の構成は同じであるので、以下では、側壁部７４における導電端子７２について説明し、側壁部７５における導電端子７２の説明を省略する。
【００５０】
導電端子７２は、板状の導電材料（例えば金属部材）によって構成されている。導電端子７２は、基端部７２ａと、接触部７２ｂと、固定部７２ｃとを有する（図３（ａ）〜（ｃ）、および図４（ｄ）参照）。基端部７２ａは、底壁部７３の近傍において、配線基板９０に接続される面が底壁部７３と略面一となるように、側壁部７４から外方に向けてＸ方向に延びている。基端部７２ａは、プラグコネクタ７０が配線基板９０に実装される際に、配線基板９０の電極（図示せず）と半田等によって接続される。接触部７２ｂは、基端部７２ａにおけるＸ方向内方（側壁部７４の内壁面寄り）の端部に連続するとともに、側壁部７４の内壁面に沿って延びており、リセプタクルコネクタ１０の導電端子１３の接触部１３ｃと接触する部分である。図４（ｄ）に示されるように、接触部７２ｂは、側壁部７４の内壁面と外壁面に沿うように延びており、側壁部７４の内壁面および外壁面の２箇所で、リセプタクルコネクタ１０の導電端子１３の接触部１３ｃと接触可能に配置されている。固定部７２ｃは、接触部７２ｂの外壁面の端部に位置するように、側壁部７４の外壁面に沿って底壁部７３に向けて延びており、その端部が側壁部７４内に埋設されている。
【００５１】
（リセプタクルコネクタおよびプラグコネクタの嵌合状態）
図４（ａ）〜（ｄ）を参照して、リセプタクルコネクタ１０およびプラグコネクタ７０の嵌合状態について説明する。
【００５２】
図４（ａ）〜（ｄ）に示すように、プラグコネクタ７０がリセプタクルコネクタ１０と嵌合する際には、リセプタクルコネクタ１０の収容凹部Ｖに、プラグコネクタ７０の側壁部７４〜７７から構成される嵌合凸部Ｗが収容される。当該嵌合時において、四角筒状を呈する嵌合凸部Ｗの内部空間に、リセプタクルコネクタ１０の中央壁部２０（図２（ａ）参照）が収容される。
【００５３】
プラグコネクタ７０がリセプタクルコネクタ１０と嵌合した状態においては、プラグコネクタ７０の導電端子７２の接触部７２ｂ（図３（ａ）参照）と、リセプタクルコネクタ１０の導電端子１３の接触部１３ｃ（図２（ａ）参照）とが接触することで互いに電気的に接続される。
【００５４】
（ロック部材）
次に、ロック部材３０の詳細について説明する。なお、ロック部材３０の説明において、図１のＺ方向に沿って、ロック部材３０を基準とした配線基板５０側（Ｚ方向負側）を「下」、その反対側（Ｚ方向正側）を「上」として説明する場合がある。
【００５５】
ロック部材３０は、リセプタクルコネクタ１０に係合され、相手コネクタとなるプラグコネクタ７０とリセプタクルコネクタ１０との嵌合状態を保持する部材である。ロック部材３０は、図４（ｃ）等に示すようにリセプタクルコネクタ１０およびプラグコネクタ７０を嵌合した後に、リセプタクルコネクタ１０との間に配線基板９０およびプラグコネクタ７０を挟んだ状態で、リセプタクルコネクタ１０に係合される。ロック部材３０は、例えば、金属材料で形成することができる。金属材料としては、例えば、ステンレスまたはチタン等が挙げられる。金属材料をロック部材３０として用いることで、ロック部材３０の係合や取り外しによる摩耗や破損を防ぐことができるとともに、高温環境下でも変形等が抑制される。
【００５６】
ロック部材３０は、図５（ａ）〜（ｄ）に示すように、略矩形状を呈する板状体である本体部３１と、本体部３１に連接してＹ方向両端部に設けられた第１ロック係合部３２と、第２ロック係合部３３とを有する。ロック部材３０は、例えば、金属板を折り曲げることにより形成することができる。ロック部材３０は後述の通り弾性変形が可能な程度の厚さおよび剛性とされる。
【００５７】
本体部３１は、矩形平板状に延びる部材である。本体部３１は、ロック部材３０がリセプタクルコネクタ１０に係合された際に、プラグコネクタ７０および配線基板９０を、リセプタクルコネクタ１０との間に挟む部分である。本体部３１は、その長手方向（Ｙ方向）の略中央部分が撓むように、リセプタクルコネクタ１０に向けて緩やかに折り曲げられている。この折り曲げ部分が、本体部３１から下方に突出する凸部３１ａ（図５（ｂ）および図６（ｂ）参照）を形成している。凸部３１ａは、リセプタクルコネクタ１０に対して係合していない状態で、本体部３１の他の領域と比べて下方（Ｚ軸負方向）へ突出している。リセプタクルコネクタ１０に対してプラグコネクタ７０を嵌合させた後、ロック部材３０をリセプタクルコネクタ１０に係合した際、凸部３１ａは、プラグコネクタ７０が実装された配線基板９０におけるプラグコネクタ７０が実装される面と反対の面となる裏面９０ｂ（図６（ａ）、図７（ｂ）等参照）に接触し、裏面９０ｂをリセプタクルコネクタ１０に向けて押圧する。これにより、リセプタクルコネクタ１０とプラグコネクタ７０との嵌合が強固に維持される。凸部３１ａが設けられる位置は本体部３１における長手方向（Ｙ方向）の両端部分を除いた間の位置であればよく、その位置は特に限定されない。
【００５８】
第１ロック係合部３２は、本体部３１の一方（Ｙ方向正側）の端部に本体部３１に連続して設けられる。第１ロック係合部３２は、本体部３１から連続するとともに中央部分から下方（Ｚ方向）に折り曲げられた脚部３２ａ，３２ｂと、２つの脚部３２ａ，３２ｂの本体部３１に連続する端部とは逆の端部同士を接続する接続部３２ｃと、を有する。
【００５９】
脚部３２ａ，３２ｂは、それぞれ本体部３１の短手方向（Ｘ方向）の両端部から、本体部３１における長手方向（Ｙ方向）に延びる。また、その中ほどから下方（Ｚ方向負側）へ屈曲している。脚部３２ａ，３２ｂは、略同一形状をしている。なお、脚部３２ａ，３２ｂは、弾性変形可能であり、屈曲部分の折り曲げ角度を変化させることができる。この点は後述する。接続部３２ｃは、本体部３１の短手方向（Ｘ方向）に延び、脚部３２ａ，３２ｂの本体部３１に連続する端部とは逆の端部同士を接続する。接続部３２ｃは、例えば四角柱状とされるが、特に限定されない。
【００６０】
脚部３２ａ，３２ｂ、および、接続部３２ｃにより、第１ロック係合部３２には、開口部３２ｈが形成される。開口部３２ｈは、本体部３１の端部、脚部３２ａ，３２ｂ、および、接続部３２ｃにより形成されている。なお、図５（ａ）に示すように、接続部３２ｃの上面３２ｘ（開口部３２ｈ寄りの面：ＸＹ平面に延びる面）は平坦面であって、リセプタクルコネクタ１０のコネクタ係合部１１Ａ，１１Ｂを構成する固定金具２２の突出部２２ｐの下面２２ｘ（図２（ｃ）参照）と接触する。すなわち、接続部３２ｃの上面３２ｘは、リセプタクルコネクタ１０との係合において爪部として機能する固定金具２２の突出部２２ｐを受ける受け部として機能する。この点は後述する。
【００６１】
第２ロック係合部３３は、本体部３１の他方（Ｙ方向負側）の端部、すなわち第１ロック係合部３２が設けられる端部とは逆の端部に、本体部３１に連続して設けられる。第２ロック係合部３３は、本体部３１から連続するとともに中央部分から下方（Ｚ方向）に折り曲げられた脚部３３ａ，３３ｂと、２つの脚部３３ａ，３３ｂの本体部３１に連続する端部とは逆の端部同士を接続する接続部３３ｃとを有する。
【００６２】
脚部３３ａ，３３ｂは、それぞれ本体部３１の短手方向（Ｘ方向）の両端部から、本体部３１における長手方向（Ｙ方向）に延びる。また、その中ほどから下方（Ｚ方向負側）へ屈曲している。脚部３３ａ，３３ｂは、略同一形状をしている。また、接続部３３ｃは、本体部３１の短手方向（Ｘ方向）に延び、脚部３３ａ，３３ｂの本体部３１に連続する端部とは逆の端部同士を接続する。脚部３３ａ，３３ｂは、弾性変形可能であり、屈曲部分の折り曲げ角度を変化させることができる。この点は後述する。
【００６３】
さらに、接続部３３ｃに連続して、接続部３３ｃの脚部３３ａ，３３ｂに連続する端部とは逆側の端部に操作部３４が設けられる。操作部３４は、ロック部材３０の係合および取り外しの際に使用される部分である。
【００６４】
脚部３３ａ，３３ｂ、および、接続部３３ｃにより、第２ロック係合部３３には、開口部３３ｈが形成される。開口部３３ｈは、本体部３１の端部、脚部３３ａ，３３ｂ、および、接続部３３ｃにより形成されている。なお、図５（ｃ）に示すように、接続部３３ｃの上面３３ｘ（開口部３２ｈ寄りの面：ＸＹ平面に延びる面）は平坦面であって、リセプタクルコネクタ１０のコネクタ係合部１１Ａ，１１Ｂを構成する固定金具２２の突出部２２ｐの下面２２ｘ（図２（ｃ）参照）と接触する。すなわち、接続部３３ｃの上面３３ｘは、リセプタクルコネクタ１０との係合において爪部として機能する固定金具２２の突出部２２ｐを係止させる受け部として機能する。この点は後述する。
【００６５】
操作部３４は、接続部３３ｃに連続して設けられる。操作部３４は、図５（ｃ）に示すように、接続部３３ｃから折り曲げられて上方（Ｚ方向正側）に延びる屈曲部３４ａと、屈曲部３４ａからさらに水平方向（ＸＹ平面方向）に折り曲げられて外方（本体部３１から離間する方向；Ｙ方向負側）へ延びる保持部３４ｂと、を含む。保持部３４ｂは、後述のロック部材３０のリセプタクルコネクタ１０への取り付けおよび取り外しの際に、ロック部材３０を操作する操作者がロック部材３０を保持するために使用する部分である。また、屈曲部３４ａは、操作者がロック部材３０の保持部３４ｂを保持してロック部材３０を操作した際に、その操作者による力をロック部材３０の本体部３１に伝達する部分として機能する。
【００６６】
（リセプタクルコネクタへのロック部材の係合方法）
図１、図６（ａ）〜（ｄ）、および、図７（ａ），（ｂ）を参照して、リセプタクルコネクタ１０に対するロック部材３０の係合方法を説明する。
【００６７】
ロック部材３０を係合する前に、図６（ａ）に示すように、配線基板５０に実装されたリセプタクルコネクタ１０に対して、配線基板９０に実装されたプラグコネクタ７０を嵌合させる。リセプタクルコネクタ１０とプラグコネクタ７０とが対向する状態で、配線基板５０（不図示）と配線基板９０（不図示）とを近接させることにより、図４に示すように、リセプタクルコネクタ１０とプラグコネクタ７０とを嵌合させることができる。ロック部材３０は、リセプタクルコネクタ１０とプラグコネクタ７０とを嵌合させた後に、リセプタクルコネクタ１０に対して取り付けられる。
【００６８】
まず、図６（ａ），（ｂ）に示すように、ロック部材３０のうち第１ロック係合部３２とリセプタクルコネクタ１０の一方（Ｙ方向正側）のコネクタ係合部とを係合させる。より具体的には、リセプタクルコネクタ１０のコネクタ係合部１１Ａを構成する固定金具２２の下面２２ｘよりも下方に、ロック部材３０の第１ロック係合部３２の接続部３２ｃを配置させる。このとき、リセプタクルコネクタ１０のコネクタ係合部１１Ａを構成する固定金具２２の下面２２ｘに対して、接続部３２ｃを接触させるが、接触位置は接続部３２ｃの上面３２ｘとは異なる場合がある。
【００６９】
次に、ロック部材３０の第１ロック係合部３２の接続部３２ｃを回動軸として、ロック部材３０を回動させる。より具体的には、リセプタクルコネクタ１０の固定金具２２の下面２２ｘよりも下方に、ロック部材３０の第１ロック係合部３２の接続部３２ｃを配置し、固定金具２２と接続部３２ｃとの接触を維持した状態で、Ｘ方向に延びる接続部３２ｃを回動軸としてロック部材３０の第２ロック係合部３３をリセプタクルコネクタ１０に向けて回動させる。回動方向は、図６（ｂ）の矢印Ｆ１で示す方向となる。この結果、図６（ｃ），（ｄ）に示すように、ロック部材３０の第２ロック係合部３３の接続部３３ｃおよび操作部３４の屈曲部３４ａがリセプタクルコネクタ１０の他方のコネクタ係合部１１Ｂを構成する固定金具２２と対向する位置までロック部材３０を回転させることができる。
【００７０】
ここで、ロック部材３０を操作する操作者が、操作部３４の保持部３４ｂを保持し、ロック部材３０を下方（リセプタクルコネクタ１０に近接する方向）、すなわち、図６（ｄ）に示す矢印Ｆ２の方向へ押し込む。これにより、ロック部材３０のうち、第１ロック係合部３２の脚部３２ａ，３２ｂにおける下方に向けて屈曲された部分、本体部３１の凸部３１ａ、および、第２ロック係合部３３の脚部３３ａ，３３ｂにおける下方に向けて屈曲された部分が弾性変形しながら、ロック部材３０の特に第２ロック係合部３３寄りの部分が押し下げられる。また、第２ロック係合部３３も、リセプタクルコネクタ１０の固定金具２２の下面２２ｘよりも下方に、ロック部材３０の第２ロック係合部３３の接続部３３ｃが移動する。すなわち、図１および図７（ｂ）に示すように、ロック部材３０の第１ロック係合部３２および第２ロック係合部３３が、リセプタクルコネクタ１０の一対のコネクタ係合部１１Ａ，１１Ｂと係合した状態、すなわち、リセプタクルコネクタ１０に対してロック部材３０が係合された状態となる。
【００７１】
リセプタクルコネクタ１０に対してロック部材３０が係合された状態では、図７（ａ），図７（ｂ）に示すように、第１ロック係合部３２の接続部３２ｃおよび第２ロック係合部３３の接続部３３ｃの両方が、リセプタクルコネクタ１０のコネクタ係合部１１Ａを構成する固定金具２２の下面２２ｘの下方に配置されている。第１ロック係合部３２では接続部３２ｃの上面３２ｘと固定金具２２の突出部２２ｐの下面２２ｘとが当接し、脚部３２ａ，３２ｂが固定金具２２の突出部２２ｐをＸ方向において挟むように配置される。第２ロック係合部３３では接続部３３ｃの上面３２ｘと固定金具２２の下面２２ｘとが当接し、脚部３３ａ，３３ｂが固定金具２２の突出部２２ｐをＸ方向において挟むように配置される。このように、電気コネクタ１では、第１ロック係合部３２と一方のコネクタ係合部１１Ａとが係合して第１係合部２が形成されるとともに、第２ロック係合部３３と他方のコネクタ係合部１１Ｂとが係合して第２係合部３が形成される。第１係合部２および第２係合部３の両方において、爪部として機能する突出部２２ｐの下面２２ｘが、受け部として機能する接続部（３２ｃまたは３３ｃ）の上面（３２ｘまたは３３ｘ）に対して係止した状態となる。
【００７２】
なお、ロック部材３０の第１ロック係合部３２および第２ロック係合部３３の両方が、それぞれリセプタクルコネクタ１０のコネクタ係合部１１Ａ，１１Ｂと係合すると、第１ロック係合部３２の脚部３２ａ，３２ｂにおける下方に向けて屈曲された部分、および、第２ロック係合部３３の脚部３３ａ，３３ｂにおける下方に向けて屈曲された部分の折れ曲がり角度は、上記の２つの係合が維持される角度となる。また、本体部３１の凸部３１ａは、弾性変形により撓みが延びた（屈曲角度が小さくなった）状態で、配線基板９０の裏面９０ｂに対して当接し、裏面９０ｂをリセプタクルコネクタ１０に向けて押圧する。電気コネクタ１では、第１係合部２および第２係合部３での係合により、ロック部材３０によって、リセプタクルコネクタ１０およびプラグコネクタ７０に対して、ロック部材３０、リセプタクルコネクタ１０およびプラグコネクタ７０が積層される方向である積層方向（すなわち、ロック部材３０とリセプタクルコネクタ１０との嵌合方向）の力が加わる。このため、電気コネクタ１では、リセプタクルコネクタ１０およびプラグコネクタ７０の嵌合状態（接続状態）が強固に維持される。
【００７３】
また、ロック部材３０およびリセプタクルコネクタ１０は、上記したとおり、ロック部材３０の第１ロック係合部３２の接続部３２ｃを軸とした回動を利用することから、リセプタクルコネクタ１０に対するロック部材３０の位置決めが容易である。すなわち、第１ロック係合部３２と、リセプタクルコネクタ１０のコネクタ係合部１１Ａとの位置関係を決めた後に、接続部３２ｃを軸として第２ロック係合部３３をリセプタクルコネクタ１０に向けて回動させることで、第２ロック係合部３３とコネクタ係合部１１Ｂとの係合が行われるため、リセプタクルコネクタ１０とロック部材３０との詳細な位置合わせを行わずに両者の係合を実現することができる。
【００７４】
また、リセプタクルコネクタ１０とロック部材３０とは、ロック部材３０の弾性力を利用して係合される。したがって、ロック部材３０がリセプタクルコネクタ１０に対して係合された後は、ロック部材３０の弾性力によって第１ロック係合部３２と第２ロック係合部３３が、コネクタ係合部１１Ａ，１１Ｂに押し付けられる。このため、ロック部材３０が簡単に脱落することが防がれ、接続状態を強固に維持することができる。
【００７５】
（リセプタクルコネクタからのロック部材の取り外し方法）
図８（ａ），（ｂ）を参照して、リセプタクルコネクタ１０からのロック部材３０の取り外し方法を説明する。
【００７６】
上述したように、リセプタクルコネクタ１０に対してロック部材３０を係合する際には、Ｘ方向に延びる接続部３２ｃを軸としてロック部材３０を回動させた。一方、リセプタクルコネクタ１０からロック部材３０を取り外す際には、第１係合部２を基点とする、リセプタクルコネクタ１０およびロック部材３０が積層された方向（Ｚ方向）に延びる軸を中心としてロック部材３０を回動させることで、第２係合部３における係合を解除する。なお、係合の解除時にも、ロック部材３０の操作者は、第２ロック係合部３３に設けられた保持部３４ｂを保持してロック部材３０を操作する。
【００７７】
まず、図８（ａ），（ｂ）に示すように、リセプタクルコネクタ１０に対してロック部材３０を、軸Ａを中心に一定の角度回動させる。回動の軸Ａは、図８（ａ）等に示すように第１ロック係合部３２近傍とすることができる。回動の軸Ａは、リセプタクルコネクタ１０およびロック部材３０の積層方向、すなわち、Ｚ方向に延びる。すなわち、ロック部材３０は、水平方向に（ＸＹ平面に沿った方向に）回動される。図８（ａ），（ｂ）では、ロック部材３０を矢印Ｆ３で示す方向に一定の角度回動した状態を示している。この状態では、第１係合部２および第２係合部３における係合状態は維持されている。ただし、軸Ａから遠い方の係合部である第２係合部３では、ロック部材３０の回動に伴って、平面視における第２ロック係合部３３とコネクタ係合部１１Ｂとの位置関係が変化している。具体的には、コネクタ係合部１１Ｂを構成する固定金具２２の突出部２２ｐのＸ方向に沿った一方の端部と、第２ロック係合部３３の脚部３３ａとが干渉した状態となっている。このとき、脚部３３ａの下方に向けて屈曲された部分は、固定金具２２の突出部２２ｐとの当接に伴う突出部２２ｐからの力を受ける。そのため、脚部３３ａにおける配線基板９０の裏面９０ｂを覆っている部分と、それに連続して下方に向けて延びている部分とで形成される折れ曲がり角度が大きくなるように弾性変形している場合もある。
【００７８】
上記の状態から、リセプタクルコネクタ１０に対するロック部材３０の回動を継続する。すなわち、軸Ａを中心としてロック部材３０を矢印Ｆ３で示す方向（図８（ａ）参照）に向けてさらに回動させると、第２ロック係合部３３の脚部３３ａは、固定金具２２の突出部２２ｐを乗り越える。すなわち、脚部３３ａは、突出部２２ｐの外方を通るように弾性変形しながら、リセプタクルコネクタ１０の外方を移動する。この結果、図８（ｃ），（ｄ）に示すように、第２ロック係合部３３とコネクタ係合部１１Ｂとの係合が解除される。図８（ｃ），（ｄ）に示す状態では、平面視において第２ロック係合部３３の接続部３３ｃは、リセプタクルコネクタ１０のコネクタ係合部１１Ｂを構成する固定金具２２の突出部２２ｐとは重ならない位置に配置となっている。このように、第２係合部３におけるリセプタクルコネクタ１０とロック部材３０との係合を解除すると、リセプタクルコネクタ１０に対するロック部材３０の相対位置の変更を容易に行うことができる。したがって、図８（ｃ），（ｄ）で示す状態からの第１係合部２の係合の解除は容易に行うことができる。具体的には、ロック部材３０を水平方向に（ＸＹ平面に沿った方向に）移動することで、第１係合部２における第１ロック係合部３２とコネクタ係合部１１Ａとの係合を解除することができる。これにより、リセプタクルコネクタ１０からロック部材３０を取り外すことができる。
【００７９】
第２係合部３における係合の解除を先に行うのは、第２ロック係合部３３の近傍に保持部３４ｂを含む操作部３４が設けられているためである。第２ロック係合部３３の保持部３４ｂを操作者が保持した状態で、第１ロック係合部３２に設けられる軸Ａを中心に回動させることで、操作者による回動方向の力を、軸Ａから離れた第２ロック係合部３３における脚部３３ａの弾性変形に対して利用しやすくなる。そのため、水平方向のロック部材３０の回動でありながら、より小さい力で第２ロック係合部３３とコネクタ係合部１１Ｂとの係合を解除することができる。
【００８０】
なお、第２ロック係合部３３とコネクタ係合部１１Ｂとの係合を解除するためのロック部材３０の回動方向は、矢印Ｆ３で示す方向に限定されず、Ｆ３とは逆の方向に回動させてもよい。
【００８１】
（作用および効果）
上記の通り、本実施形態に係る電気コネクタ１では、ロック部材３０の本体部３１とリセプタクルコネクタ１０との間に、リセプタクルコネクタ１０に嵌合するプラグコネクタ７０が挟まれた状態にて、ロック部材３０の一対のロック係合部である第１ロック係合部３２および第２ロック係合部３３が、リセプタクルコネクタ１０の一対のコネクタ係合部であるコネクタ係合部１１Ａ，１１Ｂと係合可能にされている。プラグコネクタ７０を挟み込んだ状態で、ロック部材３０とリセプタクルコネクタ１０とを接続するため、リセプタクルコネクタ１０およびプラグコネクタ７０の接続状態を強固に維持することができる。また、電気コネクタ１では、一方の係合部となる第１係合部２を基点とする、リセプタクルコネクタ１０およびロック部材３０が積層された方向に延びる軸を中心として、リセプタクルコネクタ１０に対してロック部材３０を回動させる。そして、ロック部材３０の回動により、第２係合部３におけるコネクタ係合部１１Ｂと第２ロック係合部３３の係合を解除する。リセプタクルコネクタ１０およびロック部材３０は、上記したように、リセプタクルコネクタ１０およびロック部材３０の積層方向において両者の位置関係が維持されるように係合されている。したがって、積層方向に沿って両者の位置関係を変化させて係合を解除させようとすると大きな力が必要となる場合がある。また、リセプタクルコネクタ１０に対して積層方向に沿ってロック部材３０を移動させて係合を解除しようとすると、係合部に大きな力が発生して部材の破損等が発生する可能性もある。これに対して、第１係合部２を基点とする積層方向に延びる軸Ａを中心としてロック部材３０を回動させることで、第２係合部３におけるコネクタ係合部１１Ｂと第２ロック係合部３３との係合を解除可能な構成とした場合、積層方向に沿った移動による係合の解除よりも、容易に係合を解除することが可能となる。
【００８２】
また、上記の電気コネクタ１では、リセプタクルコネクタ１０は、複数の導電性のコンタクト（導電端子１３）を有し、このコンタクトが配列された方向の両端のそれぞれに、コネクタ係合部１１Ａ，１１Ｂを有している。また、ロック部材３０は、本体部３１の両端のそれぞれに、第１ロック係合部３２および第２ロック係合部３３を有している。このように、両端に設けられた係合部同士で係合されることにより、リセプタクルコネクタ１０とロック部材３０とがより強い力で接続される。したがって、これらの接続状態をより強固に維持することができる。また、係合を解除する際に、上述のように、第１係合部２を基点とする、積層方向に延びる軸Ａを中心として、リセプタクルコネクタ１０に対してロック部材３０を回動させる。部材の両端に係合部が設けられている場合、第１係合部２と第２係合部３の間の距離が十分に確保されるため、ロック部材３０の回動に伴って第２係合部３における係合を解除する方向にかかる力を大きくすることができる。したがって、より容易に第２係合部３における係合を解除することができる。
【００８３】
また、上記の電気コネクタ１のロック部材３０は、第１ロック係合部３２および第２ロック係合部３３の対向方向の略中央部分に凸部３１ａを有している。また、ロック部材３０がリセプタクルコネクタ１０に係合されている状態では、凸部３１ａが、プラグコネクタ７０が実装される配線基板９０をリセプタクルコネクタ１０に向けて押圧している。ロック部材３０の本体部３１に設けられた凸部３１ａが配線基板９０をリセプタクルコネクタ１０に向けて押圧するため、凸部３１ａを利用してリセプタクルコネクタ１０とプラグコネクタ７０との接続状態をより強固に維持することができる。
【００８４】
また、凸部３１ａは、平板状の本体部３１の一部を折り曲げて形成され、ロック部材３０がリセプタクルコネクタ１０に係合されている状態では、本体部３１が弾性変形し、凸部３１ａが配線基板９０をリセプタクルコネクタ１０に向けて押圧している。このような構成とすることで、本体部３１の弾性力を利用してリセプタクルコネクタ１０とプラグコネクタ７０との接続状態をより強固に維持することができる。また、凸部３１ａが本体部３１の一部を折り曲げて形成されている場合、ロック部材３０に対して凸部３１ａを簡単に設けることができる。
【００８５】
また、ロック部材３０には、第２ロック係合部３３の近傍に、ロック部材３０を回動させるための操作部３４が設けられている。このような構成とすることで、操作部３４を利用してロック部材３０の回動を容易に行うことができる。
【００８６】
また、ロック部材３０は金属材料から構成されている。金属材料を用いてロック部材３０を構成することで、ロック部材３０の係合や取り外しによる摩耗や破損を防ぐことができるとともに、高温環境下でも変形等が抑制される。
【００８７】
（変形例）
次に、電気コネクタ１の変形例について説明する。図９は、電気コネクタに含まれるリセプタクルコネクタ１０およびロック部材３０の変形例を説明する図である。変形例に係る電気コネクタでは、第２係合部を構成するリセプタクルコネクタ１０およびロック部材３０について、変形が加えられている。
【００８８】
まず、図９（ａ），（ｂ）に示すように、変形例に係るリセプタクルコネクタ１０Ａでは、上記実施形態で示したリセプタクルコネクタ１０と比較して以下の点が相違する。すなわち、リセプタクルコネクタ１０Ａでは、ロック部材３０Ａの第２ロック係合部３３と係合するコネクタ係合部１１Ｂにおいて、爪部となる突出部２２ｐのＸ方向正側およびＸ方向負側の端部に面取り加工が施されていて、面取り部２２ｓが形成されている。面取り部２２ｓは、上下方向（Ｚ方向）に沿って形成されている。面取り部２２ｓが設けられることで、突出部２２ｐにおけるＸ方向の両端部は、平面視において、テーパ形状とされている。
【００８９】
また、図９（ｃ），（ｄ）に示すように、変形例に係るロック部材３０Ａでは、上記実施形態で示したロック部材３０と比較して以下の点が相違する。すなわち、ロック部材３０Ａでは、脚部３３ａ，３３ｂと接続部３３ｃとの境界部分の近傍に溝部３３ｍが設けられる。溝部３３ｍは、接続部３３ｃの上面３３ｘに連続した面（下方の面）が形成されるように、ロック部材３０Ａの幅方向（Ｘ方向）に沿って延び、その端部は、ロック部材３０Ａの脚部３３ａ，３３ｂの外方の端部にまで到達している。
【００９０】
上記のリセプタクルコネクタ１０Ａの面取り部２２ｓおよびロック部材３０Ａの溝部３３ｍは、いずれも、リセプタクルコネクタ１０Ａからロック部材３０Ａを取り外す際の第１係合部２を基点とする積層方向に延びる軸を中心として、ロック部材３０Ａの回動をガイドするガイド部として機能する。
【００９１】
リセプタクルコネクタ１０Ａに対してロック部材３０Ａを係合した状態では、上記実施形態で説明した電気コネクタ１と同様に、爪部として機能する突出部２２ｐの下面２２ｘが、受け部として機能する接続部３３ｃの上面３３ｘに対して係止した状態となる。この点は、上記実施形態と同様である。ただし、図１０（ａ），（ｂ）に示すように、第２ロック係合部３３の溝部３３ｍが、係合時の突出部２２ｐと同じ高さ位置となるように形成されている。また、図１０（ｂ）に示すように、溝部３３ｍの幅（高さ方向の長さ）は、突出部２２ｐの厚さよりも大きい。
【００９２】
上述したように、リセプタクルコネクタ１０Ａに対して軸Ａ（図８参照）を中心としてロック部材３０Ａを回動させると、第２ロック係合部３３の脚部３３ａは、固定金具２２の突出部２２ｐを乗り越えることで、第２係合部３における係合が解除される。ここで、脚部３３ａと接続部３３ｃとの間には、溝部３３ｍが形成されているため、脚部３３ａと突出部２２ｐとの当接による脚部３３ａの弾性変形量が小さい状態でも、脚部３３ａが突出部２２ｐを乗り越えることができる。このように、ロック部材３０Ａの第２ロック係合部３３に設けられる溝部３３ｍは、ロック部材３０Ａを回動させる際に脚部３３ａが受ける力が小さい状態でもロック部材３０Ａの取り外しが可能とする。すなわち、ロック部材３０Ａの第２ロック係合部３３に対する移動をガイドすることになる。溝部３３ｍによりロック部材３０Ａの回動方向を規定することにもなる。このように、溝部３３ｍはガイド部としての機能を有する。
【００９３】
また、突出部２２ｐに設けられた面取り部２２ｓにより形成されたテーパ形状も、ガイド部としての機能を有する。突出部２２ｐが突出部２２ｐの先端（Ｙ方向の端部）に向かうにつれてＸ方向の幅が小さくなる所謂先細りのテーパ形状とされていることで、脚部３３ａと突出部２２ｐとの当接による脚部３３ａの弾性変形量が小さい状態でも、面取り部２２ｓを利用して脚部３３ａが突出部２２ｐを乗り越えることが可能となる。したがって、リセプタクルコネクタ１０Ａの突出部２２ｐのテーパ形状は、ロック部材３０Ａを回動させる際に脚部３３ａが受ける力が小さい状態でもロック部材３０Ａの取り外しを可能とする。すなわち、ロック部材３０Ａの第２ロック係合部３３に対する移動をガイドすることになる。このように、突出部２２ｐのテーパ形状はガイド部としての機能を有する。
【００９４】
このように、電気コネクタでは、リセプタクルコネクタ１０Ａに対するロック部材３０Ａの回動時に、リセプタクルコネクタ１０Ａおよび／またはロック部材３０Ａに設けられたガイド部のガイドに応じて、コネクタ係合部１１Ｂに対して第２ロック係合部３３を移動させる。したがって、上記で説明したように、第２係合部３の係合を解除する際に必要な力を小さくすることができる。
【００９５】
なお、図９および図１０に示す変形例では、突出部２２ｐのテーパ形状および溝部３３ｍのように、リセプタクルコネクタ１０Ａおよびロック部材３０Ａの両方にガイド部が設けられている場合について説明した。しかしながら、リセプタクルコネクタ１０およびロック部材３０のいずれか一方のみにガイド部が設けられている場合でも、第２係合部の係合を解除するために必要な力を小さくすることができる。
【００９６】
また、上記の変形例では、リセプタクルコネクタ１０の突出部２２ｐをテーパ形状とすることで、ガイド部を形成する場合について説明したが、第２係合部の係合を解除するために、リセプタクルコネクタ１０Ａに対するロック部材３０Ａの回動時に必要な力を小さくするために、突出部２２ｐとは異なる位置にテーパ形状を設けることで、ガイド部に対応した構成を実現してもよい。例えば、図８に示すように、ロック部材３０を回動させると、脚部３３ａと突出部２２ｐとが当接する。したがって、突出部２２ｐをテーパ形状とするのではなく、脚部３３ａにおいて突出部２２ｐと当接する領域をテーパ形状とすることで、第２係合部の係合を解除するために必要な力を小さくする構成としてもよい。
【００９７】
以上、本開示に係る実施形態について説明したが、本発明の要旨の範囲内で種々の変形を上記の実施形態に加えてもよい。例えば、配線基板５０がプリント配線基板であり、配線基板９０がＦＰＣであるとして説明したがこれに限定されず、配線基板５０，９０の両方をプリント配線基板としてもよい。また、プラグコネクタ７０に対して接続する接続対象物は配線基板に限定されず、例えば、ケーブルであってもよい。
【００９８】
また、上記実施形態では、リセプタクルコネクタ１０にロック用の爪部として機能する突出部２２ｐが設けられ、ロック部材３０にロック用の受け部として機能する接続部３３ｃが設けられている場合について説明したが、爪部および受け部の配置を変更してもよい。したがって、ロック部材３０に爪部を設けて、リセプタクルコネクタ１０に受け部を設けてもよい。また、爪部および受け部の形状は適宜変更することができ、例えば、受け部は開口ではなく凹部等であってもよい。さらに、係合部の形状などは適宜変更することができる。
【００９９】
また、上記実施形態では、凸部３１ａが本体部３１を形成する金属部材を折り曲げて形成する場合について説明したが、この構成は適宜変更することができ、例えば、本体部３１とは別体の部材などを接着することで、凸部３１ａを形成してもよい。
【符号の説明】
【０１００】
１…電気コネクタ、２…第１係合部（一方の係合部）、３…第２係合部（他方の係合部）、１０…リセプタクルコネクタ、１１Ａ，１１Ｂ…コネクタ係合部、１２…ハウジング、１３…導電端子、１４…本体部、２１…ベース部、２２…固定金具、２２ｐ…突出部、２２ｘ…下面、３０…ロック部材、３１…本体部、３１ａ…凸部、３２…第１ロック係合部（一方のロック係合部）、３２ａ，３２ｂ…脚部、３２ｃ…接続部、３２ｈ…開口部、３２ｘ…上面、３３…第２ロック係合部（他方のロック係合部）、３３ａ，３３ｂ…脚部、３３ｃ…接続部、３３ｈ…開口部、３３ｘ…上面、３４…操作部、５０…配線基板、７０…プラグコネクタ、９０…配線基板。
【図１】
2020035727.tif 000003
【図２】
2020035727.tif 000004
【図３】
2020035727.tif 000005
【図４】
2020035727.tif 000006
【図５】
2020035727.tif 000007
【図６】
2020035727.tif 000008
【図７】
2020035727.tif 000009
【図８】
2020035727.tif 000010
【図９】
2020035727.tif 000011
【図１０】
2020035727.tif 000012